(57)【特許請求の範囲】
【請求項１】
溝カム２６に嵌入するコロ３２によって作動レバー３０ａ、３０ｂを、その基部の支軸３４を中心に回動し、この作動レバー３０ａ、３０ｂの先端に連結する連扞３３を介してアーム本体８をロータリーシリンダー１の回転方向と、逆回転方向とに往復動しながらロータリーシリンダー１と共に回転し、アーム本体８の先端に差し渡された支軸９によりくわえ爪本体１０と、くわえ台レバー１５を回転自在に支承し、アーム本体８の回動により移動すると共にカム軌道４にしたがってくわえ台レバー１５とくわえ爪本体１０を軸芯方向と周辺方向にくわえ作動を往復するロータリー丁合機において、前記くわえ台レバー１５は、前記くわえ爪本体１０との間に拡張コイルスプリング２５により付勢され、軸支する前部コロ１３を前記カム起動４に接して往復動し、前記くわえ爪本体１０は、基部をアーム本体８の先端部８ｂに支軸９により軸支し、前記くわえ爪本体１０を、連結２点間を一定間隔に規制するネジ軸１９部材と、連結２点間を所要圧力で縮小自在に支えるスプリング２０部材からなる弾圧調整連結具を介し、前部を前記支軸９により軸支してアーム本体８の先端部８ｂに支え、カム軌道４に当接する後部コロ１１を後部に具え、上下に作動する作動基台子の軸取付部１２ｃに取付けてなるロータリー丁合機における刷本くわえ取り装置。
【発明の詳細な説明】
【０００１】
【発明が属する技術分野】
この発明は、ロータリー丁合機における刷本くわえ取り装置に関する。
【０００２】
【従来の技術】
本特許出願人は、先に特開平２−２１５６２５号および特開平３−１３３８５７号公開公報に掲載されるように、ロータリー丁合機における刷本のくわえ取り装置を提案した。
【０００３】
【発明が解決しようとする課題】
ロータリー丁合機が丁合の対象とする刷本は、極く薄いものから厚いもの、一枚の綴じ込み用はがき類から大版のグラビア折丁まで多種・多様である。
【０００４】
この発明は、これらの多種・多様の刷本に対応してそのくわえ作動と、その釈放作動をより円滑になして丁合作動の性能の一層の向上を目的になされたものである。
【０００５】
【課題を解決するための手段】
溝カムに嵌入するコロによって作動レバーを、その基部の支軸を中心に回動し、この作動レバーの先端に連結する連扞を介してアーム本体をロータリーシリンダーの回転方向と、逆回転方向とに往復動しながらロータリーシリンダーと共に回転し、アーム本体の先端に差し渡された支軸によりくわえ爪本体と、くわえ台レバーを回転自在に支承し、アーム本体の回動により移動すると共にカム軌道にしたがってくわえ台レバーとくわえ爪本体を軸芯方向と周辺方向にくわえ作動を往復するロータリー丁合機において、前記くわえ台レバーは、前記くわえ爪本体との間に拡張コイルスプリングにより付勢され、軸支するコロを前記カム起動に接して往復動し、前記くわえ爪本体は、基部をアーム本体の先端部に支軸により軸支し、前記くわえ爪本体を、連結２点間を一定間隔に規制するネジ軸部材と、
連結２点間を所要圧力で縮小自在に支えるスプリング部材からなる弾圧調整連結具を介し、前部を前記支軸により軸支してアーム本体の先端部に回動自在に支え、カム軌道に当接する後部コロを後部に具え、上下に作動する作動基台子の軸取付部に取付けてなるロータリー丁合機における刷本くわえ取り装置ある。
【０００６】
【発明の実施の形態】
溝カムに嵌入するコロによって作動レバーを、その基部の支軸を中心に回動し、この作動レバーの先端に連結する連扞を介してアーム本体をロータリーシリンダーの回転方向と、逆回転方向とに往復動しながらロータリーシリンダーと共に回転し、アーム本体の先端に差し渡された支軸によりくわえ爪本体と、くわえ台レバーが回転自在に支承し、アーム本体の回動により移動すると共にカム軌道にしたがってくわえ台レバーとくわえ爪本体を軸芯方向と周辺方向にくわえ作動を往復するロータリー丁合機において、前記くわえ台レバーは、前記くわえ爪本体との間に拡張コイルスプリングにより付勢され、軸支する前部コロを前記カム起動に接して往復動し、前記くわえ爪本体は、基部をアーム本体の先端部に支軸により軸支し、前記くわえ爪本体を、連結２点間を一定間隔に規制するネジ軸部材と、連結２点間を所要圧力で縮小自在に支えるスプリング部材からなる弾圧調整連結具を介して、前部を前記支軸により軸支してアーム本体の先端部に回動自在に支え、カム軌道に当接する後部コロを後部に具え、上下に作動する作動基台子の軸取付部に取付けてなるロータリー丁合機における刷本くわえ取り装置。
【０００７】
【実施例】
以下、この発明のロータリー丁合機における刷本くわえ取り装置を実施例として示す図面によって説明すると、１はロータリーシリンダーで、回転軸２に取付けて回転し、その周面に半周毎に欠開部３、３を設け、夫々の欠開部３にカム軌道４、４を設け、ロータリーシリンダー１の上方に組み合わせて定位置に配備される刷本台５に対面する時に、その刷本台５上の刷本６をくわえ取り、これを半周回転して下方に配備される移送装置７に釈放して落とし、移送装置７により横に移送し、このロータリーシリンダー１の個数だけ刷本６を移送装置７に積み重ねて丁合をなすものである。
【０００８】
８はアーム本体で、前記ロータリーシリンダー１の欠開部３に対応し、両側面に沿い、
かつ前記回転軸２の定位置に、その基端轂部８ａをベアリング８ａ１を介して回転自在に支承している。
【０００９】
前記アーム本体８の先端部８ｂには、支軸９を差し渡し、くわえ爪本体１０の基部１０ａと、前記ロータリーシリンダー１の欠開部３に設けたカム軌道４に当接する後部コロ１１を後部１２ｂに具え、前記くわえ爪本体１０を支え、かつ上下に作動する作動基台子１２の前部１２ａと、同じく、前記ロータリーシリンダー１の欠開部３に設けたカム軌道４に当接する前部コロ１３および車輪型のくわえ台１４を先端に具えたくわえ台レバー１５の基部１５ａを軸支している。
【００１０】
前記作動基台子１２は、前部１２ａと後部１２ｂの中間上方に軸取付部１２ｃを一体に設け、この軸取付部１２ｃに前後に貫設したネジ孔１７に弾圧調整連結具１８の後部１８ｂを取り付け、前部１８ａをくわえ爪本体１０の基部１０ａの軸支点から上方に離れた背部１０ｂに取り付け、その最大連結長を引張り限度長に、圧縮により連結長を縮小自在に連結し、連結支承するくわえ爪本体１０を、軸支点を中心として僅かに、回動するように配備される。
【００１１】
前記弾圧調整連結具１８の実施例を図７に示すと、連結２点間を一定間隔に規制するネジ軸部材としての頭部１９ａ付きのネジ軸１９と、連結２点間を所要圧力で縮小自在に支えるスプリング部材としての弾圧用拡張コイルスプリング２０およびそれらの付属品としての軸受調整金具２１、ロックナット２２、ネジ軸用ナット２３、ネジ軸ロック用ナット２４からなっている。なお、１９ｂ、２１ａ、２２ａは、夫々ネジ部、２１ｂは六角頭、
２１ｃはスプリング凹陥受座、２１ｄは挿通孔である。
【００１２】
前記くわえ台レバー１５の前部寄りと、くわえ爪本体１０の先端寄りとの間に拡張コイルスプリング２５を配備し、くわえ爪本体１０を支点にくわえ台レバー１５をカム軌道４に押し付けてくわえ作動をなしている。
【００１３】
溝カム２６は、回転軸２に取付け配置する角度をセット時に調整ができるように、図示のようなロッドエンド２７ａ、２７ｂとターンバックル２８とからなる調整器２９により２点の取付点間を伸縮し、回転軸２を中心に溝カム２６の取り付け配置角を調整自在に、
かつこの調整器２９を介して溝カム２６を回転しないように装置している。
【００１４】
作動レバー３０ａ、３０ｂは、その基部をロータリーシリンダー１の側面に貫通して軸受けされる支軸３１により軸着し、その前記溝カム２６に対面する作動レバー３０ｂの基部と先端との間に前記溝カム２６に嵌合するコロ３２を軸支し、作動レバー３０ａ、３０ｂの両先端に、連扞３３、３３の一端を連結し、その連扞３３、３３の他端を、アーム本体８、８の先端部８ｂ、８ｂと基端轂部８ａ、８ａとの中間である中間部８ｃ、８ｃに支軸３４をもって軸着連結している。なお、前記作動レバー３０ｂとは、別に、図示しないが、先端にコロ３２を軸支した連動レバーを支軸３１に取付けてもよいものである。
【００１５】
この発明のロータリー丁合機における刷本くわえ取り装置は、前述のように構成されるから、溝カム２６に嵌入するコロ３２によって作動レバー３０ｂを、その基部の支軸３１を中心に回動し、この支軸３１に基端を固着した他方側の作動レバー３０ａを同じく支軸３１を中心に回動し、この作動レバー３０ａ、３０ｂの先端に連結する連扞３３、３３を介してアーム本体８、８をロータリーシリンダー１の回転方向と、逆回転方向とに往復動しながらロータリーシリンダー１と共に回転し、アーム本体８、８の先端に差し渡された支軸９によりくわえ爪本体１０と、くわえ台レバー１５を回転自在に支承し、アーム本体８、８の回動により移動すると共にカム軌道４にしたがってくわえ台レバー１５と、くわえ爪本体１０を軸芯方向と周辺方向に往復回動するものであるから、刷本６をくわえる時には、回転方向と逆転して一瞬停止もしくは停止に近い状態まで減速して軸芯側と周辺側から刷本６を挟持してくわえ、また、釈放時、ロータリーシリンダー１の回転方向と逆転し、刷本６を一瞬停止もしくは停止に近い速度に減速して刷本６を釈放するものである。
よって、厚く重量のあるもの、薄く軽量のものともに、確実にロータリーシリンダー１から離隔させることができる。そしてその一瞬停止もしくは停止に近い速度に減速して時間を取り戻すように増速回転して定位置に復帰し、次のくわえ・釈放作動に備えることができるものである。
【００１６】
また、前記くわえ爪本体１０の基部１０ａをアーム本体８の先端部８ｂの支軸９に軸支し、カム軌道４に当接する後部コロ１１を後部１２ｂに具え、該くわえ爪本体１０を、前記弾圧調整連結具１８を介して支え、かつ上下に作動する作動基台子１２の前部１２ａを軸支しているから、くわえ爪本体１０を、カム軌道４に当接する後部コロ１１にしたがって作動する作動基台子１２よりくわえ作動と釈放移動をさせることができ、また、くわえ台レバー１５のくわえ台１４との挟持圧を弾圧調整連結具１８を伸縮、例えば、ネジ軸１９の頭部１９ａとネジ軸ロック用ナット２４の連接面間を調整して、くわえ圧を適当に加減することができ、丁合する刷本６の厚み、大きさ、材質等に適切に対応することができる。
【００１７】
【発明の効果】
この発明のロータリー丁合機における刷本くわえ取り装置は、以上のようになるから、
くわえ爪本体を、カム軌道に当接するコロにしたがって作動する作動基台子よりくわえ作動と釈放移動をさせることができ、また、くわえ台レバーのくわえ台との挟持圧を調整して、加減することができ、丁合する刷本の厚み、大きさ、材質等に適切に対応することができる。
【００１８】
よって、この発明のロータリー丁合機における刷本くわえ取り装置は、丁合の対象とする刷本の極めて薄いものから厚いもの、また、一枚の綴じ込み用はがき類から大版のグラビア折丁まで多種・多様に適合し、そのくわえ作動と、その釈放作動をより円滑になして丁合作動の性能の一層の向上に画期的効果を奏するものである。
【図面の簡単な説明】
【図１】  この発明のロータリー丁合機における刷本のくわえ取り装置の要部の一方からの側面図である。
【図２】  同じく、要部の他方からの側面図である。
【図３】  同じく、要部の拡大部分平面図である。
【図４】  同じく、刷本台の刷本をくわえる要部の作動状態を示す作動説明図である。
【図５】  同じく、刷本をくわえた状態の要部の拡大部分縦断面図である。
【図６】  同じく、刷本のくわえを開放した釈放状態の要部の拡大部分縦断面図である。
【図７】  同じく、弾圧連結具の一例を示す分解部品の側面図である。
【図８】  同じく、作動用溝カムの一例を示す内側面図である。
【符号の説明】
１  ロータリーシリンダー
２  回転軸
３  欠開部
４  カム軌道
５  刷本台
６  刷本
７  移送装置
８  アーム本体
８ａ  基端轂部
８ａ１  ベアリング
８ｂ  先端部
８ｃ  中間部
９  支軸
１０  くわえ爪本体
１０ａ  基部
１０ｂ  背部
１１  後部コロ
１２  作動基台子
１２ａ  前部
１２ｂ  後部
１２ｃ  軸取付部
１３  前部コロ
１４  くわえ台
１５  くわえ台レバー
１５ａ  基部
１７  ネジ孔
１８  弾圧調整連結具
１８ａ  前部
１８ｂ  後部
１９  ネジ軸
１９ａ  頭部
１９ｂ  ネジ部
１８  弾圧調整連結具
１９  ネジ軸
１９ａ  頭部
１９ｂ  ネジ部
２０  弾圧用拡張コイルスプリング
２１  軸受調整金具
２１ａ  ネジ部
２１ｂ  六角頭
２１ｃ  スプリング凹陥受座
２１ｄ  挿通孔
２２  ロックナット
２２ａ  ネジ部
２３  ネジ軸用ナット
２４  ネジ軸ロック用ナット
２５  拡張コイルスプリング
２６  溝カム
２７ａ  ロッドエンド
２７ｂ  ロッドエンド
２８  ターンバックル
２９  調整器
３０ａ  作動レバー
３０ｂ  作動レバー
３１  支軸
３２  コロ
３３  連扞
３４  支軸
【図１】
0003941043.tif 000002
【図２】
0003941043.tif 000003
【図３】
0003941043.tif 000004
【図４】
0003941043.tif 000005
【図５】
0003941043.tif 000006
【図６】
0003941043.tif 000007
【図７】
0003941043.tif 000008
【図８】
0003941043.tif 000009